(57)【要約】【課題】文字キーの種類が少ないスマートフォンでは、同じ文字キーを何度も押さないと文字入力が出来ず、長文や複雑な文を書く気にならないので、少ない数のひらがなキーで、すべてのひらがな入力ができるひらがなの入力方法とキー配列を提供する。【解決手段】（あいうえお）キーを其々の文字キーと母音キーにし、（かさたなはまやら）キーを其々の行の子音キーにして、（かさたなはまやら）キーのどれか一つを押してから、（あいうえお）キーのどれか一つを押して（あいうえおわ）キー以外のひらがな文字を入力できるようにした。（あいうえお）キーと（わ）キーは文字キーなので一押しで（あいうえお）及び（わ）を入力できるようにした。【選択図】図０２
2020170486.tif 000002
【特許請求の範囲】
【請求項１】
（あいうえお）キーを其々の文字キーと母音キーにし、（かさたなはまやら）キーを其々の行の子音キーにし、（わ）キーを文字キーにして、前記（かさたなはまやら）キーのどれか一つを押してから、（あいうえお）キーのどれか一つを押すことで、前記母音キーの母音と前記子音キーの子音からなるひらがな文字を入力できるようにした、ひらがな文字入力。
【請求項２】
縦３段横５列の升目１に、（あいうえお）キーと（かさたなは）キーと（まやらわ）キーを文字順に横に配列した、請求項１に記載のひらがな文字入力。
【請求項３】
前記縦３段横５列の升目１の１段３列の升に、ひらがなキーを設けず、前記ひらがなキーを設けない升を囲むように（あいうえお）キーを文字順に配列し、前記（あいうえお）キーを囲むように（かさたなはまやらわ）キーを文字順に配列した、請求項１に記載のひらがな文字入力。
【請求項４】
前記縦３段横５列の升目の端の列に、（あいう）キーを上から下に配列し、その隣に（えお）キーを上から下に配列し、（かさた）キーと（なはま）キーと（やらわ）キーを並べて上から下に配列した、請求項１に記載のひらがな文字入力。
【発明の詳細な説明】
【技術分野】
【０００１】  本発明は、ひらがなの入力とそのキー配列に関する。
【背景技術】
【０００２】  ディスプレイの小さいスマートフォンでは、文字キーの数を多く出来ないので、数少ないキーを何度も押して、複数の異なる文字を入力し、文章を作っている。
【先行技術文献】
【特許文献】
【０００３】
【特許文献１】特開平  １１−２０６４６２号  公報
【発明の概要】
【発明が解決しようとする課題】
【０００４】  文字キーの種類が少ないスマートフォンでは、同じひらがなキーを何度も押さないと複数の異なる文字入力が出来ず、素早く押そうとすると回数を余分に押してしまうし、長文や複雑な文を書くには問題になるので、数少ないひらがなキーで、押す回数を少なくして、すべてのひらがなが入力できる、ひらがなの入力方法と入力しやすいキー配列を提供する。
【課題を解決するための手段】
【０００５】  キーの数とキーを押す回数を少なくするために、（あいうえお）キーを其々の文字キーと母音キーにし、（かさたなはまやら）キーを其々の行の子音キーにし、（かさたなはまやら）キーのどれか一つを押してから、（あいうえお）キーのどれか一つを押すことで、母音キーの母音と子音キーの子音からなるひらがな文字を入力できるようにしたものである。（あいうえお）キーと（わ）きーは文字キーなので一押しで（あいうえお）の其々と（わ）を入力できるようにしたものである。【０００６】  （わ）キーは、２度押しで（を）、３度押しで（ん）を入力できるようにしたものである。【０００７】  文字入力を片手でしやすくするために、縦３段横５列の升目に、（あいうえお）キーと（かさたなは）キーと（まやらわ）キーを文字順に横に配列したものである。【０００８】  文字入力を片手でしやすくするために、縦３段横５列の升目の１段の３列の升に、ひらがなキーを設けず、ひらがなキーを設けない升を囲むように（あいうえお）キーを文字順に配列し、（あいうえお）キーを囲むように（かさたなはまやらわ）キーを文字順に配列したものである。【０００９】  文字入力を両手でしやすくするために、（あいう）キーを縦３段横５列の升目の端の列に上から下に配列し、その隣に（えお）キーを上から下に配列し、（かさた）キーと（なはま）キーと（やらわ）キーを並べて上から下に配列したものである。【００１０】  なにもないキーに句読点キーなどの文章に必要なキーを入れるようにしたものである。
【発明の効果】
【００１１】  （あいうえお）キーと（かさたなはまやらわ）キーの１４のひらがなキーの（わ）を除いたキーのどれか一つまたは二つ押すだけで、すべてのひらがな入力が出来るので、日本語入力が格段と速くなる。【００１２】  （かさたなはまやら）のキーのどれか一つと（あいうえお）のキーのどれか一つを押すだけで文字入力が出来るし、キーの数も少ないので、文章を入力するスピードが上がるし、指も痛くならない。【００１３】  母音である（あいうえお）キーと、子音である（かさたなはまやら）キーとをわかり易く分けて配列しているので、文字入力がしやすく、覚えやすいので間違いが少ない。【００１４】  文字入力を両手でも出来るキー配列では、（あいうえお）キーと（かさたなはまやらわ）キーを左右に分けて配列したので、キーを押す手を母音用と子音用に分ければ、覚えやすく作業が容易になるので、文字入力が速くなる。【００１５】  片方の手の二本指でも入力できるので、（あいうえお）キーを一方の手の指で押し、もう一方手の指で（かさたなはまやらわ）キーを押せば、入力スピードが上がる。【００１６】  ひらがなキー配列をパソコンのキーボードに設ければ、片手で文字入力が出来るようになるので、一方の手を文字入力専用にし、もう一方をその他のキー専用にすれば、作業が容易になるし、スピードも上がる。【００１７】  パソコンのキーボードに、（あいうえお）キーと（かさたなはまやら）キーを、別の段に横並び配列すれば、キーの数が少なく、母音を押す手と子音を押す手に分けられるので、文字入力のスピードが上がる。
【図面の簡単な説明】
【００１８】
【図０１】あいうえおキー中段配列キーボード
【図０２】あいうえおキー上段配列キーボード
【図０３】あいうえおキー囲い型配列キーボード１
【図０４】あいうえおキー囲い型配列キーボード２
【図０５】両手用キー配列キーボード１
【図０６】両手用キー配列キーボード２
【発明を実施するための形態】
【００１９】  以下、本発明の実施のひらがなキーの配列を図０１〜図０６に基づいて説明する。
【００２０】  図０１の（あいうえお）キー１を２段目に横並びに配列し、（かさたなはまやらわ）キー２を（かさたなは）と（まやらわ）に分け、（かさたなは）キーを１段目で、（まやらわ）キーを３段目に配列している。（や）と（ら）の間を開け、句読点キー３用としている。
【００２１】  図０２の（あいうえお）キー１を１段目に横並びに配列し、（かさたなはまやらわ）キー２を（かさたなは）と（まやらわ）に分け、（かさたなは）キーを２段目で、（まやらわ）キーを３段目に横並びに配列している。（や）と（ら）の間を開け、句読点キー３用としている。
【００２２】  図０３の（あいうえお）キー１を縦２段横３列の升目の中で（あ）と（いうえ）と（お）に分け、（あ）キーを上段２列に配列し、（いうえ）キーを２段の２列〜４列に配列し、（お）キーを上段４列に配列し、（かさたなはまやらわ）キー２を（かさ）と（たなはまや）と（わら）に分け、（かさ）キーを１列に上から下に向かって配列し、（たなはまや）キーを３段に横並びに配列し、（わら）キーを５列に上から下に向かって配列している。（あ）と（お）の間を開け、句読点キー３用としている。
【００２３】  図０４のキー配列は、図０３の上下反転に配列されたものである。
【００２４】  図０５の（あいうえお）キー１を（あいう）と（えお）に分け、縦並びで（あいう）キーを１列に上から下に向かって配列し、（えお）きーを２列に上から下に向かって配列し、（かさたなはまやらわ）キー２を（かさた）と（なはま）と（やらわ）に分け、縦並びで（かさた）キーを３列に上から下に向かって配列し、（なはま）キーを４列に上から下に向かって配列し、（やらわ）キーを５列に上から下に向かって配列している。（う）と（た）の間を開け、句読点キー３用としている。
【００２５】  図０６の（あいうえお）キー１を図０５と同じに配列し、（かさたなはまやらわ）キー２を（かさた）と（なはま）と（やらわ）に分け、縦並びで（やらわ）キーを３列に上から下に向かって配列し、（なはま）キーを４列に上から下に向かって配列し、（かさた）キーを５列に上から下に向かって配列している。（う）と（わ）の間を開け、句読点キー３用としている。以上記載した、ひらがなキーの配列は左右反転も含む。
【符号の説明】
【００２６】１  （あいうえお）キー
２  （かさたなはまやらわ）キー
３  句読点キー
４  キー配列用升目
【図０１】
2020170486.tif 000003
【図０２】
2020170486.tif 000004
【図０３】
2020170486.tif 000005
【図０４】
2020170486.tif 000006
【図０５】
2020170486.tif 000007
【図０６】
2020170486.tif 000008
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
キーボードの（あ、い、う、え、お）キー列の其々のキーを、文字キーと母音キーとし、（か、さ、た、な、は、ま、や、ら）キー列の其々のキーを其々の行の子音キーとし、（わ）キーを（わ）と（を）と（ん）の文字キーとして、前記（あ、い、う、え、お）キー列のどれか一つを押して、押したキーのひらがな文字を入力できるようにし、前記（か、さ、た、な、は、ま、や、ら）キー列のどれか一つを押してから、前記（あ、い、う、え、お）キー列のどれか一つを押すことで、子音キーの子音と母音キーの母音からなるひらがな文字を入力できるようにし、（わ）キーを１度押しで（わ）を文字入力し、２度押しで（を）を文字入力し、３度押しで（ん）を文字入力できるようにした、ひらがな文字入力。
【請求項２】
前記（あ、い、う、え、お）キー列と（か、さ、た、な、は、ま、や）キー列を続けて横に並べ、（ら、わ）キー列を前記（か、さ、た、な、は、ま、や）キー列の下の段に設けた、請求項１に記載のひらがな文字入力。
【請求項３】
前記（あ、い、う、え、お）キー列の同じ段に続けて（か、さ、た、な、は）キー列を設け、前記（か、さ、た、な、は）キー列の下の段に（ま、や、ら、わ）キーの列を設けた、請求項１に記載のひらがな文字入力。
【請求項４】
前記（あ、い、う、え、お）キー列を設けた下の段に前記（か、さ、た、な、は）キー列を設け、前記（か、さ、た、な、は）のキー列の下の段に前記（ま、や、ら、わ）キー列を設けた、請求項１に記載のひらがな文字入力。
【請求項５】
前記（あ、い、う、え、お）キー列と前記（か、さ、た、な、は）キー列と前記（ま、や、ら、わ）キー列の３列を縦向きに、３個キー列５個キー段に配列した、請求項１に記載のひらがな文字入力。
【請求項６】
（あ、い、う、え、お、か、さ、た、な、は、ま、や、ら、わ）の１４個のひらがなキーを、４個キー列４個キー段に配列にした、請求項５に記載のひらがな文字入力。
【手続補正２】
【補正対象書類名】明細書
【補正対象項目名】全文
【補正方法】変更
【補正の内容】
【発明の詳細な説明】
【技術分野】
【０００１】  本発明は、ひらがな入力とそのキー配列に関する。
【背景技術】
【０００２】  パソコンのキーボードでは、アルファベットの２６よりも多い４５個のひらがなキーを設けている。
【先行技術文献】
【特許文献】
【０００３】
【特許文献１】特開  ２０１２−１２８８２３号
【発明の概要】
【発明が解決しようとする課題】
【０００４】  アルファベットよりも多い、ひらがなキーは４５個もあるので、あまり使わないものもあり、其々の位置を覚えるのも大変なので、キーの数が少ないローマ字入力をする人が多い。一つのキーにひらがなとローマ字の記号があり、ローマ字入力だけをするものにとってひらがな文字は邪魔なものでしかないし、ひらがな文字はアルファベット文字より文字も小さく文字を構成する線も僅かに細く形成され、日本の文字を入力するのにひらがな文字があまり利用されていない。
【課題を解決するための手段】
【０００５】  ひらがなキーの数をアルファベットの数よりも少なくして、すべてのひらがなが入力できる、ひらがなの入力方法と入力しやすいキー配列を提供する。【０００６】  キーの数とキーを押す回数を少なくするために、ひらがなの母音の少なさを利用して、（あ、い、う、え、お）キー列の其々を文字キーと母音キーとし、（か、さ、た、な、は、ま、や、ら）キー列の其々を子音キーとし、（か、さ、た、な、は、ま、や、ら）キー列のどれか一つを押してから、（あ、い、う、え、お）キー列のどれか一つを押すことで、ほとんどのひらがな文字を入力できるようにした。【０００７】  （わ）キーは、１度押しで（わ）を、２度押しで（を）を、３度押しで（ん）を、文字入力できるようにした。【０００８】  （あ、い、う、え、お）キー列と（か、さ、た、な、は、ま、や）キー列とを同じ列に並べ、（ら、わ）キー列を（か、さ、た、な、は、ま、や）キー列の下に設けて、ひらがなキー配列にした。【０００９】  （あ、い、う、え、お）キー列と（か、さ、た、な、は）キー列とを同じ列に並べ、（ま、や、ら、わ）キー列を（か、さ、た、な、は）キー列の下の段に設けて、ひらがなキー配列にした。【００１０】  （あ、い、う、え、お）キー列と（か、さ、た、な、は）キー列と（ま、や、ら、わ）のキー列を平行で３段に並べて、ひらがなキー配列にした。【００１１】  （あ、い、う、え、お、か、さ、た、な、は、ま、や、ら、わ）キーの１４個のひらがなキーを４個キー列４個キー段に設けて、ひらがなキー配列にした。
【発明の効果】
【００１２】  （あ、い、う、え、お、か、さ、た、な、は、ま、や、ら、わ）キーの１４個のひらがなキーの一つ又は二つを押すだけで、すべてのひらがなが入力出来るので、日本語入力が格段と速くなる。【００１３】  母音である（あ、い、う、え、お）キー列と、子音である（か、さ、た、な、は、ま、や、ら、わ）キー列とをわかり易く分けて配列し、母音キーと子音キーを押す手を分けているので、文字入力がしやすく、キーの数も少ないので、覚えやすく間違いが少なくなり、文章を入力するスピードが上がる。【００１４】  ひらがなキーの数が少ないので、指の移動範囲が小さくなり、作業スピードは上がる。【００１５】  ひらがなキーの数が三分の一以下になったので、キーボード面がシンプルになった。【００１６】  （あ、い、う、え、お）キー列と（か、さ、た、な、は、ま、や、ら、わ）キー列はひらがなのあ行とあ抜きのあ段なので、一目見るだけで憶えられる。【００１７】  右手と左手の押すキーが明確に分けられているので、手の動く範囲も小さくなるし、指の移動巾も小さくなるので、作業がよりシンプルになる。【００１８】  （あ、い、う、え、お）のキー列の下の段に（か、さ、た、な、は、ま、や）のキー列を設け、その下の段に（ら、わ）のキー列を設けたので、片手でも其々のキーを打てるようになり、片手や腕に怪我をした人などでも、手の位置がほとんど動かないので、ひらがな入力が容易に利用できるようになる。
図３は右手用だが、上記３段のキ―列を、そのまま左に移動すれば、左手用になる。（あ、い、う、え、お）のキー列、（か、さ、た、な、は）のキー列、（ま、や、ら、わ）キー列の３段配列も同じ効果がある。ひらがなの其々の位置を左右反転しても同じ効果がある。【００１９】  ひらがなキーが２段配列のものは、キーの列は長くなるが、上下の動きが２段なので、手を左右に動かせば、片手でキーを打てることができる。【００２０】（あ、い、う、え、お）キー列と（か、さ、た、な、は）キー列と（ま、や、ら、わ）キー列の３列に分けて縦向きに並べれば２本指でもキーを打てるので、スピードアップにもなるし、スマートフォンなどにも利用できる。【００２１】（あ、い、う、え、お、か、さ、た、な、は、ま、や、ら、わ）キーの１４個のひらがなキーを４個キー列４個キー段の中に並べれば、スマートフォンなどにも利用できる。
【図面の簡単な説明】
【００２２】
【図０１】あ行あ段連続キー配列１
【図０２】あ行あ段連続キー配列２
【図０３】あ行あ段３段並びキー配列
【図０４】縦並びキー配列
【図０５】４個キー列４個キー段配列１
【図０６】４個キー列４個キー段配列２
【発明を実施するための形態】
【００２３】  以下、本発明の実施のひらがなキーの配列を図０１〜図０６に基づいて説明する。
【００２４】  図０１のキーボードのテンキーを除いたメインキーの上から二段目のＡキーを先端に（あ、い、う、え、お）キー列１と（か、さ、た、な、は、ま、や）キー列２を横並びに置き、（か、さ、た、な、は、ま、や）キー列２の下の三段目に（ら、わ）キー列４を置き、１４個のひらがなキーを配列した。
【００２５】  図０２のキーボードのテンキーを除いたメインキーの上から二段目のＡキ―を先端に（あ、い、う、え、お）キー列１を置き、キーを一つ開けて（か、さ、た、な、は）キー列２を置き、二段目の（か、さ、た、な、は）キー列２の下の三段目に（ま、や、ら、わ）キー列５を置き、１４個のひらがなキーを配列した。（お）キーと（か）キーの間の空きは設けないようにすることもできる。
【００２６】  図０３のキーボードのテンキーを除いたメインキーの上から一段目のＹキーを先端に（あ、い、う、え、お）キー列１を置き、その下の二段目に（か、さ、た、な、は）キー列３を置き、その下の三段目に（ま、や、ら、わ）キー列５を置き、１４個のひらがなキーを配列した。また、上記三段に配列したひらがなキーを左端によせた配列もあり、左右反転した配列もある。
【００２７】  図０４のキーボードの左端に（あ、い、う、え、お）キー列１を縦に置き、その横に（か、さ、た、な、は）キー列３を縦に置き、その横に（ま、や、ら、わ）キー列５を縦に置いて、１４個のひらがなキーを配列した。
【００２８】  図０５のキーボードの左端に（あ、い、う、え）キー列６を縦に置き、その横に（お、か、な、や）キー列７を縦に置き、その横にキーを１段開けて（さ、は、ら）キー列８を縦に置き、その横にキーを１段開けて（た、ま、わ）キー列９を縦に置いて、１４個のひらがなキーを配列した。
【００２９】  図０６のキーボードの左端に（あ、い、う）キー列１０を縦に置き、その横に（え、か、な、や）キー列１１を縦に置き、その横に（お、さ、は、ら）キー列１２を縦に置き、その横にキーを１段開けて（た、ま、わ）キー列９を縦に置いて、１４個のひらがなキーを配列した。
【符号の説明】
【００３０】１  （あ、い、う、え、お）キー列
２  （か、さ、た、な、は、ま、や）キー列
３  （か、さ、た、な、は）キー列
４  （ら、わ）キー列
５  （ま、や、ら、わ）キー列
６  （あ、い、う、え）キー列
７  （お、か、な、や）キー列
８  （さ、は、ら）キー列
９  （た、ま、わ）キー列
１０  （あ、い、う）キー列
１１  （え、か、な、や）キー列
１２  （お、さ、は、ら）キー列
【手続補正３】
【補正対象書類名】図面
【補正対象項目名】全図
【補正方法】変更
【補正の内容】
【図０１】
2020170486.tif 000009
【図０２】
2020170486.tif 000010
【図０３】
2020170486.tif 000011
【図０４】
2020170486.tif 000012
【図０５】
2020170486.tif 000013
【図０６】
2020170486.tif 000014